(57)【要約】　　　（修正有）【課題】バタフライ弁内を流れる流体が外部へ漏洩するのを防ぐとともに、弁体を円滑に回動させ、且つ弁本体内の流体通路を容易に確実に閉塞でき、しかも外部から潤滑剤を供給しなくても済むバタフライ弁を提供する。【解決手段】弁の全閉時及び全閉からの開放開始時に、弁棒２をその延びる方向に僅かに移動可能とするために、弁棒を回動可能に支持している弁本体３筒状部１３内に新たに軸受け１４を付設し、軸受けをばね１５により付勢して弁板外周の回動中心にある平坦面に圧接し、弁板１を２個の軸受の間に挟んで弁棒の延びる方向に滑動できるようにする。また軸受けを潤滑性多孔体で構成する。【選択図】　　　図２
2004108387.tif 000002
【特許請求の範囲】
【請求項１】
弁板に弁棒を固定してなる弁体と、弁棒を軸として弁体を回動可能に収容する弁本体とからなるバタフライ弁のうち、弁板が弁本体内の流体通路を閉塞した時、弁板外周が密接するに至る弁本体内面の弁座面を基準とした場合、弁棒が弁座面を連ねる平面から外れたところに位置するとともに、弁棒が弁板の中心からも外れたところに位置しており、さらに上記弁座面が１つの斜円錐の面上に位置している三重偏心のバタフライ弁において、弁棒の両端を回動可能に収容するために弁本体に設けた２つの筒状部のそれぞれの内部で、弁棒の周りに弁本体の内側から順に軸受け、ばね、パッキン及びパッキン押さえを付設してパッキン押さえを筒状部に固定し、軸受けをばねにより付勢して軸受けの先端を筒状部から突出させて弁板の外周において弁板の回動中心に位置する平坦面に接触させ、こうして弁板を２個の軸受けの間に挟み、弁体の回動過程で軸受けをばねに抗して弁棒の延びる方向に僅かに移動可能とし、これによって弁体を弁棒の延びる方向に滑動できるようにしたことを特徴とする、バタフライ弁。
【請求項２】
軸受けの少なくとも弁棒に接する部分が、金属又は合成樹脂からなる多孔体と、その多孔体の孔内に潤滑剤を含ませて作られた潤滑性多孔体で構成されていることを特徴とする、請求項１に記載のバタフライ弁。
【請求項３】
軸受けの少なくとも先端部分が、金属又は合成樹脂からなる多孔体と、その多孔体の孔内に潤滑剤を含ませて作られた潤滑性多孔体で構成されていることを特徴とする、請求項１又は２に記載のバタフライ弁。
【請求項４】
軸受けの全体が、金属又は合成樹脂からなる多孔体と、その多孔体の孔内に潤滑剤を含ませて作られた潤滑性多孔体で構成されていることを特徴とする、請求項１に記載のバタフライ弁。
【請求項５】
金属又は合成樹脂からなる多孔体が、金属又は合成樹脂の粉末を焼結することによって作られたものであることを特徴とする、請求項１−４の何れか１つの項に記載のバタフライ弁。
【請求項６】
潤滑剤が黒鉛、二硫化モリブデン又は金属石鹸のような固体のものであることを特徴とする、請求項１−５の何れか１つの項に記載のバタフライ弁。
【請求項７】
金属が銅系、黄銅系又はアルミ青銅系金属であることを特徴とする、請求項１−６の何れか１つの項に記載のバタフライ弁。
【請求項８】
合成樹脂がポリアセタール、ポリオレフィン、ポリアミド、ポリエステル、ポリ四弗化エチレン、ポリフェニレンサルファイド又はポリウレタンであることを特徴とする、請求項１−７の何れか１つの項に記載のバタフライ弁。
【請求項９】
請求項１−８の何れかの項に記載のバタフライ弁にアクチュエータが付設され、バタフライ弁の弁棒の先端がアクチュエータ駆動軸に付設された連結筒内に挿入されており、弁棒と連結筒との間に、弁棒の回動する方向では互いに係止されているが、弁棒の延びる方向に滑動できる隙間が形成されていることを特徴とする、バタフライ弁。
【請求項１０】
連結筒内に挿入された弁棒が、その先端において連結筒の空洞の奥底との間に隙間を備えており、その隙間が弁棒の延びる方向において弁棒直径の２分の１ないし３分の１の範囲内であることを特徴とする、請求項９に記載のバタフライ弁。
【発明の詳細な説明】
【０００１】
【産業上の利用分野】
この発明は、バタフライ弁に関するものであり、とくに特殊なバタフライ弁、すなわち高温高圧の流体を輸送するのに用いられる三重偏心バタフライ弁に関するものである。さらに云えば、この発明は、バタフライ弁において弁本体内で弁棒を支持している機構を改良し、筒状部からの流体漏れを無くするとともに、弁体の回動を円滑にし、且つ弁体が流体通路を確実に閉塞できるようにしたバタフライ弁に関するものである。
【０００２】
【従来の技術】
バタフライ弁は、云うまでもなく公知である。バタフライ弁は、円板状の弁板に弁棒を固定し、弁板から突出した弁棒の両端を円管状の弁本体の管壁に貫通させて、弁本体内に弁板を回動可能に付設したものである。バタフライ弁は、弁板を回動させて、弁本体内に形成されている流体通路を閉塞又は開放させるのに用いられる。
【０００３】
バタフライ弁では、弁棒の両端が弁本体の管壁を貫通しているために、弁棒の周りから弁本体内を通る流体を漏らさないようにすることが必要である。このために、弁本体には弁棒を回動可能に支持するための筒状部が形成されている。筒状部では、弁棒の回動を許しながら弁棒との間から流体が漏れないようにするために、弁棒の周りに種々のものが充填されている。
【０００４】
特公昭６１−２４５８９号公報は、バタフライ弁において、流体の漏洩を防ぐために、弁本体の筒状部内で弁棒の周りにグランドパッキンを充填するとともに、グランドパッキンの間に平軸受けを介在させ、平軸受けに外部からグリースを供給するとともに、弁本体内へスチーム等のパージ流体を流すことを提案している。しかし、パージ流体を流すためには、筒状部と弁棒との間に相当の隙間を設ける必要があり、隙間を設けると、流体圧により弁体が変位し易くなり、このため弁体が流路を完全に閉塞できない事態を生じ易く、また弁体を円滑に回動できない、という問題を生じる。
【０００５】
また、実公昭６４−１５８４号公報は、玉形弁において弁本体の筒状部と弁棒との間に、アスベストパッキンとスペーサリングとを交互に重ねて配置し、こうして重ねて得られた積層体の中程に潤滑リングを介在させ、潤滑リングに外部から潤滑油を供給することを提案している。しかし、これだけでは、弁体を円滑に上下動させて、弁本体と弁体との間で流体漏れを完全に防ぐことができない、という問題がある。
【０００６】
従来の技術に伴なう上述の問題点は、バタフライ弁に高温高圧の流体を流すときに一層顕著となる。すなわち、高温高圧の流体を流すときには、バタフライ弁として三重偏心弁を用いることが多いが、この場合とくに上述の問題点が顕著に現れる。
【０００７】
ここで、三重偏心弁とは、バタフライ弁のうち、バタフライ弁の閉塞時に弁体が弁本体に密接するに至る弁座面を想定した場合、弁棒が弁座面を連ねる平面から外れたところに位置していて、いわゆる一次偏心をしたものであり、また弁棒が弁体の中心から外れて一方に片寄っていて、いわゆる二次偏心をしたものであり、さらに弁座面が１つの斜円錐面上にあって、その斜円錐は弁体の中心を通り、弁棒に垂直な平面で弁座面を切断した場合、弁本体の中心軸に平行に延びる弁座断面の延長線と、上記中心軸に対して斜めに延びる弁座断面の延長線との交点に頂点を持っている、いわゆる三次偏心をしている弁である。このような三次偏心をしたバタフライ弁は、バタフライ弁の中でも特殊なものであるから、まずその構造を図面に基づきさらに詳しく説明する。
【０００８】
図１は、三重偏心をしたバタフライ弁の弁体の中心を通り、弁棒に垂直に切断した場合の断面図である。図１に示したバタフライ弁は円板状の弁板１に弁棒２をピン５によって固定して弁体とし、この弁体を弁本体３内に付設し、弁板１が弁棒２を中心として弁本体３内で回動可能としたものである。図１では示されていないが、弁棒２の両端は円管状の弁本体３の管壁を貫通している。弁本体３には弁棒が貫通するところに筒状部が設けられて、弁棒を気密に保持している。バタフライ弁は、弁板１を弁本体３内で回動させることにより、弁本体３内の流体通路４を開いたり閉じたりする。
【０００９】
弁板１が流体通路４を閉じたとき、流体通路４が確実に閉ざされるようにするために、弁本体３にはシートリング６が付設されている。シートリング６は、リングの外側部分を弁本体３の中に埋設し、リングの内側部分を弁本体３から突出させた状態として、シート押さえ７により弁本体３に固定され、弁本体３の一部を構成している。こうして付設されたシートリング６は、内側の先端を弁板１の外周面に密接させて弁座面を形成することとなる。
【００１０】
図１において、弁板１の外周面がシートリング６の先端に密接して形成される環状の密接面が、バタフライ弁の弁座面８である。弁座面８は、云いかえると、バタフライ弁の閉塞時に弁板１が弁本体３と密接するに至る面である。図１に示したバタフライ弁では、上述の弁座面８を基準とした場合、弁棒２が弁座面８を連ねる平面上になくて、この平面から距離Ｐだけ外れたところに位置している。従って、このバタフライ弁は一次偏心をしていることになる。
【００１１】
また、図１に示したバタフライ弁では、弁棒２が弁板１の中心、云いかえると、弁本体３の中心軸９を通らず、弁板１の中心から外れたところに固定されている。すなわち、弁棒２は、弁本体３の中心軸９から距離Ｑだけ離れたところに位置している。このため、このバタフライ弁は二次偏心していることになる。
【００１２】
さらに、図１に示したバタフライ弁では、切断面上に現れている弁座面８が、図の上部では弁本体３の中心軸９と平行な点線１０に沿って延びているが、図の下部では中心軸９に対して斜めに向かう左上りの点線１１に沿って延びている。図１に示したバタフライ弁では、弁座面８は、点線１０と１１との交点を頂点１２とする斜円錐の面上にある。このように、図１に示したバタフライ弁では、弁座面８が、弁座面８を連ねる平面を基準として、弁棒２と反対側に頂点１２を持つ１つの斜円錐面上にあり、従って、三次偏心をしていることになる。なお、円錐面の頂角は通常２０度程度とすることが好ましい。
【００１３】
上記のように、一次から三次までの偏心をしたバタフライ弁、すなわち三重偏心をした特殊なバタフライ弁は、一般に高温高圧の流体を制御するのに用いられる。三重偏心バタフライ弁では、高温高圧の流体を流すために、弁本体３と弁棒２との回転部から流体の漏洩を起こさないようにすることがとくに必要とされ、また弁板１が円滑に回動できるようにすることが必要とされる。その上に、三重偏心弁では弁座面が斜円錐面上にあるために、弁座面はこれを中心軸方向から見ると楕円形を呈しており、楕円の短軸方向に弁棒が延びている状態になっているので、このような弁座面に弁体を回動させて、弁本体内の流体通路を確実に閉塞することは困難とされている。
【００１４】
【発明が解決しようとする課題】
そこで、この発明は、上述のような高温高圧の流体を流す三重偏心のバタフライ弁において、バタフライ弁内を流れる流体が外部へ漏洩するのを防ぐとともに、弁体を円滑に回動させ、且つ弁本体内の流体通路を容易に確実に閉塞できるようにすることを目的とするものである。とくに、従来技術では流体漏れをなくするためには、筒状部内に付設したパッキン等にグリース、潤滑油等を補給することが必要とされたが、この補給は煩瑣であるから、この補給を省略することを目的とするものである。
【００１５】
【課題解決のための手段】
この発明者は、高温高圧の流体を流す三重偏心のバタフライ弁において、流体漏れを起こすことなく弁体を円滑に回動させて、流体通路を確実に閉塞するためには、従来技術のように、弁棒を弁棒の延びる方向に全く移動させないこととするのでなく、弁の全閉時及び全閉からの開放開始時には弁棒をその延びる方向に沿って極めて僅かに移動可能とするのが有効であることを見出した。そのためには、弁棒を回動可能に保持するために弁本体に設けられている筒状部内に、新たに軸受けを設け、軸受けで弁棒を支持することとし、しかも軸受けを筒状部内に設けたばねにより付勢し、軸受けの先端を筒状部から突出させて、弁板外周の回動中心に位置する平坦面に接触させ、こうして弁板を２個の軸受けの間に挟んで、弁板を弁棒に沿って極めて僅かに、例えば数ｍｍ程度滑動可能とするのが有効であることを見出した。
【００１６】
また、流体漏れをなくするために、例えば前述の特公昭６１−２４５８９及び実公昭６４−１５８４の各公報が記載するように、従来はグリース、潤滑油等の補給が必要とされたが、上述の軸受けに潤滑性多孔体を使用することにより、潤滑油等の補給を省略できることを見出した。ここで云う潤滑性多孔体とは、例えば焼結金属に黒鉛のような潤滑剤を含有させたものである。この発明は、このような知見に基づいて完成されたものである。
【００１７】
この発明は、バタフライ弁として前述の三重偏心バタフライ弁を用いることを必要としている。三重偏心バタフライ弁とは、弁板に弁棒を固定してなる弁体と、弁棒を軸として弁体を回動可能に収容している弁本体とからなるバタフライ弁のうち、弁板が弁本体の流体通路を閉塞した時、弁板外周が密接するに至る弁本体内面の弁座面を基準とした場合、弁棒が弁座面を連ねる平面から外れたところに位置するとともに、弁棒が弁板の中心からも外れたところに位置しており、さらに上記弁座面が１つの斜円錐面上に位置しているバタフライ弁である。この発明は、このような三重偏心バタフライ弁において、弁棒の両端を回動可能に収容するために弁本体に設けた２つの筒状部のそれぞれの内部で、弁棒の周りに弁本体の内側から順に軸受け、ばね、パッキン及びパッキン押さえを付設してパッキン押さえを筒状部に固定し、軸受けをばねにより付勢して軸受けの先端を筒状部から突出させて弁板の外周において弁板の回動中心に位置する平坦面に接触させ、こうして弁体を２個の軸受けの間に挟み、弁体の回動過程で軸受けをばねに抗して弁棒の延びる方向に僅かに移動可能とし、これによって弁体を弁棒の延びる方向に滑動できるようにしたことを特徴とする、バタフライ弁を提供するものである。
【００１８】
また、この発明は、上述のバタフライ弁において用いられる軸受けの材料として潤滑性多孔体を用いることを特徴としている。潤滑性多孔体とは、一般にオイルレスベアリングとして販売されて商品を構成している材料である。すなわち、潤滑性多孔体とは金属又は合成樹脂からなる多孔体と、その多孔体の孔内に潤滑剤を含ませて作られたものである。この発明では、このような材料で軸受け全体を作ってもよいが、また軸受け中の弁棒に接する部分だけ、又はそれとともに軸受けの先端部分だけを潤滑性多孔体で作ることもできる。
【００１９】
この発明を実施の一例につき図面に基づいて説明すると、次の通りである。図２は、この発明に係る三重偏心バタフライ弁にアクチュエータを直結した場合の縦断面図である。図３はこの発明に係るバタフライ弁に短管を介してアクチュエータを接続した場合の接続部の一部切欠縦断面図である。図４は、この発明で用いることのできるアクチュエータ中の連結筒の、第３図Ｘ−Ｘ線位置での端面図である。図５は、この発明に係るバタフライ弁にアクチュエータを付設する態様を示した平面図である。
【００２０】
図２に示したバタフライ弁は、弁棒２が点線で区切られた弁座面８を連ねる平面から外れたところに位置して、弁板１にピン５によって固定されて一次偏心している。また、図２では現れていないが、図２に示したバタフライ弁は図１に示したバタフライ弁と同様に、弁棒２が弁本体３の中心軸９から外れたところに位置して二次偏心しており、さらに、弁座面８は斜円錐の面上にあって、斜円錐の中心は、中心軸９を通り紙面に垂直な平面上に位置しているが、中心軸９から外れたところに位置していて、三次偏心をしている。なお、図２に示したバタフライ弁ではシートリング６を簡略に表示したが、図２のシートリング６は図１のシートリング６と同様に作られている。
【００２１】
図２に示したバタフライ弁では、弁本体３に２個の筒状部１３が設けられ、各筒状部１３内に弁棒２の端が収容され、弁棒２が回動可能に支持されている。筒状部１３内では、弁棒２との間に内側から順に軸受け１４、ばね１５、グランドパッキン１６、ランタンリング１７、グランドパッキン１８が充填され、その外端にパッキン押さえ１９がボルト２１により固定されている。
【００２２】
そのうち、軸受け１４は、小径部１４１と、大径部１４２とを備え、その間に段部１４３を備えている。軸受け１４は、大径部１４２を筒状部１３内に残し、小径部１４１を筒状部１３から突出させている。また、軸受け１４は、大径部１４２の端をばね１５により押されて、小径部１４１が筒状部１３から突出する方向に付勢されている。小径部１４１の先には弁板１の外周にあって、弁板１の回動中心に位置する平坦面１００が存在するので、軸受け１４はばねにより平坦面１００に対して常に圧接されることになる。
【００２３】
他方、弁本体側では筒状部１３が、内側端に小径部１４１を通過させるだけの開口を備え、続いてその外側に大径部１４２を通過させるだけの孔を備えており、その間には段差１３１を備えて、軸受け１４と嵌合している。小径部１４１を通過させるだけの開口は奥行が小さく、小径部１４１の軸方向の長さよりも小さくされている。このため、段差１３１は軸受け１４の段部１４３との間に常に隙間２０を形成している。従って、弁板１を挟んで両側に付設されている２つの軸受け１４は弁板１を挟んだまま、常に上下に移動できることとなっている。
【００２４】
軸受け１４を押すためのばね１５は、コイルばねであってもよいが、皿ばねであることが好ましい。ばね１５は、隙間２０が存在するために軸受け１４を常に弁板１の平坦面１００に向かって押しつけるとともに、前述のように弁板１を挟んだまま軸受け１４が筒状部から出入り可能にしている。ばね１５とグランドパッキン１６との間には、ばね受け１５１を設けることが好ましい。
【００２５】
この発明では上述のように、弁板１から突出する弁棒２をそれぞれ軸受け１４によって回動可能に支持し、各軸受け１４を弁本体３の筒状部１３内で移動可能にし、弁板１を弁棒２の延びる方向へ移動可能としたので、閉弁時に弁板１を弁棒２の延びる方向へ滑動させて自動調心させることができる。このために弁座面が複雑な形状、例えば楕円形を呈していても、確実に弁座面を弁体により閉じることができる。
【００２６】
グランドパッキン１６と１８は、石綿製の糸を特殊な潤滑油と黒鉛とで処理して、縄状にしたものを用いることができる。潤滑油としては耐熱性の潤滑油や耐酸性の潤滑油が用いられ、その含有量はパッキン重量の約３０％とされている。パッキン１６とパッキン１８との間にランタンリングが介在している。ランタンリングは、外観上は指輪状のものであるが、幅方向の中央部分が外側からも内側からも窪ませられて肉薄になっている。その結果、ランタンリングは断面が恰も呂の字状の環体となっている。この肉薄となった窪み部分に潤滑剤が付与されていて、この潤滑剤がパッキン１６と１８とに補給される。また、薄肉の中央部分には環状方向の複数個所に貫通孔が設けられて、外側の窪みと内側の窪みとの間で、潤滑剤が移行できるようにされている。
【００２７】
この発明では、ランタンリング１７に付与された潤滑剤は、グランドパッキン１６及び１８を潤すだけでなく、グランドパッキン１６に補給された潤滑剤はばね受け１５１からばね１５に及んでこれらを潤滑する。また場合によっては、潤滑剤が軸受け１４へ広がり、軸受け１４の内面を潤滑するとともに、軸受け１４の先端と弁板１の平坦面１００へ供給されて圧接面を潤滑することもある。
【００２８】
この発明では、軸受け１４をオイルレスベアリングを構成するような潤滑性多孔体で作り、弁棒２を鋼で作ると云うように、軸受け１４を構成する材料を、弁棒２が構成される材料よりも、硬度において差異があり硬度の低い剛体で構成することにより、軸受け１４が弁棒２へ焼き付き固着するのを防止することができる。
【００２９】
軸受け１４を構成する潤滑性多孔体は、金属又は合成樹脂からなる多孔体と、その多孔体の孔内に含まれている潤滑剤とで構成されているものである。含まれている潤滑剤は液体のこともあるが、多くは固体である。この潤滑剤は、多孔体の内部までも一様に含まれていて、その含まれている量も多く、従って、多孔体表面が摩耗すると、元の表面と同じ組成の新しい表面が次々と現れて、長い期間にわたって変わりのない潤滑性を示す。従って、通常の使用期間内では外部から潤滑剤を補給する必要がない。
【００３０】
この発明で用いる軸受け１４は、その全体を潤滑性多孔体で作ることもできるが、その一部だけを潤滑性多孔体で作ることもできる。一部だけとするときは、弁軸２に接触する軸受け１４の内面、又はそれとともに弁板１の平坦面１００に接触する先端面に潤滑性多孔体を用いる。
【００３１】
潤滑性多孔体を構成している多孔体としては、金属又は合成樹脂が用いられる。金属としては銅系、黄銅系、アルミ青銅系の金属を用いることができる。また、合成樹脂としては、ポリアセタール、ポリオレフィン、ポリアミド、ポリエステル、ポリ四弗化エチレン、ポリフェニレンサルファイド、ポリウレタン、フエノール樹脂等を用いることができる。
【００３２】
また、潤滑性多孔体を構成している潤滑剤としては、液体状の潤滑剤を用いることもできるが、好ましいのは固体状の潤滑剤である。好ましい固体状の潤滑剤は、黒鉛、二硫化モリブデン、金属石鹸等である。
【００３３】
潤滑性多孔体で作られた軸受けは、通常オイルレスベアリングとして市販されている。この発明では、オイルレスベアリングという名称で販売されているものの中から、使用条件に適したものを選んで用いることができる。
【００３４】
この発明ではバタフライ弁が三重偏心しているために、弁座面８は前述のように斜円錐形を呈し、従って中心軸方向から見ると、弁座面は楕円形となっている。このような形状の弁座面８を弁板１で密閉するには、弁板１を単純に回動させるだけでは足りず、弁板１を弁本体３に対して僅かに弁棒方向に移動させながら回動させなければならない。
【００３５】
この発明では、流体通路内に位置する弁棒２の部分が軸受け１４によって覆われているので、軸受け１４が流体による弁棒２の撓みを防ぐこととなり、従って、弁板１は回動が容易となっている。しかも、軸受け１４はばね１５により押されて弁板１の平坦面１００に圧接されているので、弁板１を回動させるときには、前述のように軸受け１４が弁棒２の延びる方向に移動することにより、弁板１の位置を弁棒が延びる方向に沿って僅かに変えることができる。このために、弁板１が弁座面に接触し始めるときに、弁板１を弁棒２の延びる方向に滑動させて弁座面に密接させることができる。その移動距離は通常数ｍｍ以下である。このため弁座面８が前述のように楕円形の斜円錐面を形成しているにも拘らず、弁板１の外周面を弁本体３の弁座面８に確実に密接させることができる。また、逆に弁体が弁座面から離れようとするときも、同様に弁板を弁棒の延びる方向に僅かに移動させて、円滑に弁板を弁座面から離すことができる。それゆえ、この発明によれば三重偏心弁を容易に且つ確実に開閉することができる。
【００３６】
この発明に係るバタフライ弁は、アクチュエータによって開閉される。この場合、この発明に係るバタフライ弁は、従来のバタフライ弁とは違って、とくにアクチュエータとの接続に注意をする必要がある。なぜならば、従来のバタフライ弁は、弁座面が流体の進行方向から見ると、ほぼ真円状を呈しているために、弁板を弁棒の周りに回動させるだけで弁を全閉にすることができたが、この発明に係るバタフライ弁は、前述のように、弁座面が流体の進行方向から見ると、楕円形を呈しているために、弁板を弁棒の周りに回動させただけでは弁を全閉にすることができず、全閉時には弁体を弁棒の延びる方向に滑動させなければならないからである。このために、この発明に係るバタフライ弁は、アクチュエータへの接続に際して、弁板が弁棒の延びる方向に滑動できるように配慮しなければならない。
【００３７】
全閉時に弁板を弁棒の延びる方向に滑動できるようにした接続態様が、図３に示されている。図３において、符号２２は第２図に示したこの発明に係るバタフライ弁Ａの上端に位置するフランジを示している。フランジ２２にはアクチュエータＢのフランジ２３が接続されるが、フランジ２３は、アクチュエータＢの下部に付設された短管２９を介して、アクチュエータＢに付設されている。フランジ２２と２３とが重ねられるとき、弁棒２はアクチュエータＢの駆動軸２４の下端にある連結筒２５内に挿入され、連結筒２５と弁棒２との間にはキー２６が挿入されて、弁棒２は駆動軸２５に接続される。そのあとで、フランジ２２と２３とはボルトで固定されてアクチュエータＢはバタフライ弁Ａに付設される。この点では、バタフライ弁Ａは従来技術と同じようにアクチュエータに付設されることになる。
【００３８】
図３に示したバタフライ弁ＡとアクチュエータＢとの接続が従来技術と異なるのは、弁棒２と連結筒２５との接続態様である。図３ではキー２６によって弁棒２と連結筒２５とが、弁棒２の周囲方向には互いに係止されているが、弁棒２の延びる方向には係止されないで、自由に滑動できるようにされている。この点で、この発明に係るバタフライ弁は従来のバタフライ弁と大きく異なっている。すなわち、弁棒２の先端と連結筒２５内の空洞の奥底との間には、視認できる程の隙間２７があり、また弁棒２の周囲面と連結筒の側面との間には、視認できないにしても互いに滑動できるだけの隙間が存在している。隙間２７は、弁棒の延びる方向において弁棒直径の２分の１ないし３分の１の範囲内の大きさとする。
【００３９】
これに対し従来技術では、弁棒２と連結筒２５との間にキー２６を介在させると、キー２６が弁棒２と連結筒２５との間を全体的に係止し、従って弁棒２と連結筒２５との間で、周囲方向の回動も軸方向の移動をも許さないようにされた。従って、従来技術では隙間２７の付設などは全く意識されなかった。このことは、従来のバタフライ弁では弁棒２を軸方向に移動させる必要がなく、むしろ、弁棒２は軸方向に移動してはならないものとされて来たことから考えて、当然のことである。
【００４０】
図３では、弁棒２と連結筒２５とを接続するのにキー２６を使用した態様を示したが、キー２６の使用は必ずしも必要とされない。例えば図４の（ａ）に示したように、連結筒２５の内側に設けられた空洞の断面を正方形にするとともに、この孔内に挿入される弁棒を断面正方形にすることによって、キー２６を使用しないで、接続することができる。また、図４の（ｂ）に示したように連結筒２５と弁棒とをセレーション接続することもできる。さらに、図４の（ｃ）に示したようにスプライン接続することもできる。
【００４１】
また、キー２６を用いる場合にも、図４の（ｄ）に示すように、連結筒２５内にある空洞の壁面に周囲方向に等しい間隔をおいて複数個の溝２８を掘り、溝２８の何れにキーを位置させるかによって、バタフライ弁Ａに対してアクチュエータＢの長手方向の位置を変更できるようにすることが好ましい。とくに、図４の（ｄ）に示すように周囲方向に９０度の角度を隔てて溝２８を設けると、図５の（ａ）ないし（ｄ）に示したように、バタフライ弁Ａに対しアクチュエータＢの突出部が向く方向を変えることができるので、アクチュエータＢの操作に便利なように、アクチュエータＢを付設することができる。
【００４２】
【発明の効果】
この発明によれば、三重偏心バタフライ弁において、弁棒を回動可能に収容するために弁本体に設けた２つの筒状体のそれぞれの内部で、弁棒の周りに弁本体の内側から順に軸受け、ばね、パッキン及びパッキン押さえを付設してパッキン押さえを筒状部に固定したので、パッキンが弁棒の周りから流体の漏洩を防ぐこととなり、また軸受けをばねにより付勢して軸受けの先端を筒状部から突出させて、弁板外周で弁板の回動中心に位置する平坦面に接触させることができ、これによって弁板を２個の軸受けの間に挟んで弁棒の延びる方向に移動させることが可能となる。従って、バタフライ弁が三重偏心をしていて、弁座面が流体の進行方向から見ると楕円形を呈していても、流体通路の閉塞時に弁板を弁棒の延びる方向に滑動させて、弁板外周を弁座面に密接させることができ、こうして確実に全閉状態にすることができる。また、同様にして逆に全閉状態から容易に弁板を弁座面から離して、弁を開放状態に容易にすることができる。
【００４３】
また、軸受けの弁棒に接する部分、又は軸受けの先端部分を少なくとも潤滑性多孔体で構成することとしたから、筒状部の外から潤滑剤を供給しなくても、軸受けと弁棒又は弁板との間を潤滑することができ、従って長期にわたって弁体を円滑に回動させることができる。従来技術では、筒状部内のパッキン等を潤滑するために外から潤滑剤を供給する必要があり、潤滑剤を供給するためには、潤滑剤のタンクやポンプ等を含んだ大掛りな装置が必要とされたので、これに比べると潤滑剤を供給しなくて済むことは大きな利益である。
【００４４】
また、弁棒に軸受けを付設し、軸受けの先端が弁板外周の弁板回動中心にある平坦面に圧接して弁棒を覆っているので、弁棒が弁本体内を流れる流体の圧力によって撓むのが少なくなり、従って弁棒の回動が容易である。
【００４５】
また、パッキン押さえをボルトにより弁本体筒状部に固定したので、パッキン等は常に最初に充填した状態に維持されることとなり、従ってパッキン押さえの増し締めによるパッキン等の変動を押さえることができ、弁棒回動時のトルクの均一を計ることができる。
【図面の簡単な説明】
【図１】三重偏心バタフライ弁を説明するための三重偏心バタフライ弁の横断面図である。
【図２】この発明に係る三重偏心バタフライ弁にアクチュエータを直結した場合の縦断面図である。
【図３】この発明に係るバタフライ弁に短管を介してアクチュエータを接続した場合の接続部の一部切欠縦断面図である。
【図４】この発明で用いることのできるアクチュエータ中の連結筒の、第３図Ｘ−Ｘ線位置での端面図である。
【図５】この発明に係るバタフライ弁とアクチュエータの接続関係を示した平面図である。
【符号の説明】
Ａ　　　　　　　　　　　　この発明のバタフライ弁
Ｂ　　　　　　　　　　　　アクチュエータ
１　　　　　　　　　　　　弁板
２　　　　　　　　　　　　弁棒
３　　　　　　　　　　　　弁本体
４　　　　　　　　　　　　流体通路
５　　　　　　　　　　　　ピン
６　　　　　　　　　　　　シートリング
７　　　　　　　　　　　　シート押さえ
８　　　　　　　　　　　　弁座面
９　　　　　　　　　　　　中心軸
１０、１１　　　　　　　　斜円錐を示す点線
１２　　　　　　　　　　　斜円錐の頂点
１３　　　　　　　　　　　筒状部
１４　　　　　　　　　　　軸受け
１５　　　　　　　　　　　ばね
１６、１８　　　　　　　　パッキン
１７　　　　　　　　　　　ランタンリング
１９　　　　　　　　　　　パッキン押さえ
２０、２７　　　　　　　　隙間
２１　　　　　　　　　　　ボルト
２２、２３　　　　　　　　フランジ
２４　　　　　　　　　　　アクチュエータの駆動軸
２５　　　　　　　　　　　連結筒
２６　　　　　　　　　　　キー
２８　　　　　　　　　　　溝
２９　　　　　　　　　　　短管
１００　　　　　　　　　　平坦面
１３１　　　　　　　　　　段差
１４１　　　　　　　　　　小径部
１４２　　　　　　　　　　大径部
１４３　　　　　　　　　　段部
１５１　　　　　　　　　　ばね受け
【図１】
2004108387.tif 000003
【図２】
2004108387.tif 000004
【図３】
2004108387.tif 000005
【図４】
2004108387.tif 000006
【図５】
2004108387.tif 000007